(57)【要約】【課題】  極めて容易にバーコードなどの情報を読み取らせて作業者の作業負担を大幅に低減させ、しかも、読み取りミスを確実になくし、情報集積による商品管理並びに検品の正確性の向上を図る。【解決手段】  投入領域３に投入された書籍Ｓを搬送する投入コンベヤ５と、この投入コンベヤ５によって搬送される書籍Ｓに付されたバーコードを読み取るバーコードスキャナ６と、バーコードスキャナ６によりバーコードの読み取りが行われたリード済みの書籍Ｓに対して、バーコードの読み取りが行われなかったノーリードの書籍Ｓを仕分ける仕分けコンベヤ１１とを備える。【選択図】      図１
2006151649.tif 000002
【特許請求の範囲】
【請求項１】
投入領域に投入された物品（Ｓ）を搬送する搬送手段（５）と、該搬送手段によって搬送される前記物品に付された情報を読み取るスキャナ（６）と、該スキャナにより前記情報の読み取りが行われたリード済み品に対して、前記情報の読み取りが行われなかったノーリード品を仕分ける仕分け手段（１１）とを備え、
前記仕分け手段（１１）は、前記物品を正逆方向へ搬送するコンベヤからなり、該コンベヤは、前記物品がノーリード品である場合に、前記リード済み品の搬送方向と逆方向へ搬送することを特徴とする読取装置（１）。
【請求項２】
投入領域に投入された物品（Ｓ）を搬送する搬送手段（３４）と、該搬送手段によって搬送される前記物品に付された情報を読み取るスキャナ（６）と、該スキャナにより前記情報の読み取りが行われたリード済み品に対して、前記情報の読み取りが行われなかったノーリード品を仕分ける仕分け手段（３５）とを備え、
前記仕分け手段（３５）は、前記搬送手段（３４）に対して前記物品を受け取り可能な受け取り位置あるいは前記物品の搬送経路から外れた待機位置に配置されるコンベヤからなり、該コンベヤは、前記物品がノーリード品である場合に、前記受け取り位置へ移動して前記ノーリード品を受け取ることを特徴とする読取装置（３１）。
【請求項３】
投入領域に投入された物品（Ｓ）を搬送する搬送手段（４２）と、該搬送手段によって搬送される前記物品に付された情報を読み取るスキャナ（６）と、該スキャナにより前記情報の読み取りが行われたリード済み品に対して、前記情報の読み取りが行われなかったノーリード品を仕分ける仕分け手段（４２）とを備え、
前記仕分け手段（４２）は、前記物品を搬送させる前記搬送手段からなり、この搬送手段は、前記物品がノーリード品である場合に停止して前記物品の受け取りを可能とすることを特徴とする読取装置（４１）。
【発明の詳細な説明】
【技術分野】
【０００１】
本発明は、商品などの物品に付したバーコードなどの情報を読み取る読取装置に関する。
【背景技術】
【０００２】
以前より、書店等の店舗において、書籍などの商品を管理するために、書籍にバーコードを付し、このバーコードをハンディスキャナによって読み取ることにより、商品単位固有の情報を集積して商品管理や検品を行っている（例えば、特許文献１参照）。
【０００３】
【特許文献１】特開平６−４７７９号公報
【発明の開示】
【発明が解決しようとする課題】
【０００４】
ところで、ハンディスキャナを用いたバーコードの読み取りは、作業者が商品を一つずつ把持し、商品のバーコード部分にハンディスキャナの読み取り部を突き合わせることにより行うが、読み取り部を正確にバーコードに合わせないと読み取りエラーが生じ、確実に読み取ることができない。
したがって、ハンディスキャナによるバーコードの読み取りは、作業者への負担が大きいだけでなく、人為的な読み取りミスが生じ易く、情報集積による商品管理並びに検品が正確に行われない場合がある。
特に、商品の返品時においては、返品のデータと返品する商品とが確実に一致することが求められているため、バーコードの読み取りミスを確実になくすことが要求されている。
【０００５】
この発明は、上記事情に鑑みてなされたもので、極めて容易にバーコードなどの情報を読み取らせて作業者の作業負担を大幅に低減させることができ、しかも、読み取りミスを確実になくし、情報集積による商品管理並びに検品を極めて正確に行うことが可能な読取装置を提供することを目的としている。
【課題を解決するための手段】
【０００６】
上記目的を達成するために、本発明の読取装置は、投入領域に投入された物品を搬送する搬送手段と、該搬送手段によって搬送される前記物品に付された情報を読み取るスキャナと、該スキャナにより前記情報の読み取りが行われたリード済み品に対して、前記情報の読み取りが行われなかったノーリード品を仕分ける仕分け手段とを備え、前記仕分け手段は、前記物品を正逆方向へ搬送するコンベヤからなり、該コンベヤは、前記物品がノーリード品である場合に、前記リード済み品の搬送方向と逆方向へ搬送することを特徴とする。
【０００７】
また、本発明の読取装置は、投入領域に投入された物品を搬送する搬送手段と、該搬送手段によって搬送される前記物品に付された情報を読み取るスキャナと、該スキャナにより前記情報の読み取りが行われたリード済み品に対して、前記情報の読み取りが行われなかったノーリード品を仕分ける仕分け手段とを備え、前記仕分け手段は、前記搬送手段に対して前記物品を受け取り可能な受け取り位置あるいは前記物品の搬送経路から外れた待機位置に配置されるコンベヤからなり、該コンベヤは、前記物品がノーリード品である場合に、前記受け取り位置へ移動して前記ノーリード品を受け取ることを特徴とする。
【０００８】
また、本発明の読取装置は、投入領域に投入された物品を搬送する搬送手段と、該搬送手段によって搬送される前記物品に付された情報を読み取るスキャナと、該スキャナにより前記情報の読み取りが行われたリード済み品に対して、前記情報の読み取りが行われなかったノーリード品を仕分ける仕分け手段とを備え、前記仕分け手段は、前記物品を搬送させる前記搬送手段からなり、この搬送手段は、前記物品がノーリード品である場合に停止して前記物品の受け取りを可能とすることを特徴とする。
【発明の効果】
【０００９】
本発明の読取装置によれば、バーコードなどの情報が付された物品を投入領域から投入するだけで、極めて容易に情報を読み取らせることができ、作業者の作業負担を大幅に低減させることができる。
また、読み取りエラーが生じた場合は、ハンディスキャナによって物品の情報を改めて読み取らせることができ、読み取りミスを確実になくし、情報集積による商品管理並びに検品を極めて正確に行うことができる。
【発明を実施するための最良の形態】
【００１０】
以下、本発明の実施形態に係る読取装置について、図面を参照して説明する。
（第１実施形態）
まず、第１実施形態に係る読取装置について説明する。
図１は、第１実施形態に係る読取装置の構成を説明する概略側断面図、図２は、読取装置の構成及び機能を説明するブロック図である。
なお、本実施形態では、取り扱う物品として、書籍を例にとって説明する。
図１に示すように、この読取装置１は、ケーシング２の上部に、投入領域３を備え、この投入領域３から書籍Ｓが投入可能とされている。
この投入領域３には、ケーシング２の中央側へ向かって傾斜した投入コンベヤ５が設けられ、投入領域３から投入された書籍Ｓが投入コンベヤ５によってケーシング２の中央側（図１中矢印イ方向）へ向かって搬送される。
【００１１】
ケーシング２には、投入コンベヤ５の上方に、バーコードスキャナ６が設置され、このバーコードスキャナ６は、投入コンベヤ５上を搬送される書籍Ｓに付されたバーコードを読み取る。
投入コンベヤ５の送り出し側の端部の下方には、略水平に設置された仕分けコンベヤ（仕分け手段）１１が設けられ、投入コンベヤ５から送り出される書籍Ｓが受け渡される。この仕分けコンベヤ１１の一端側には、送り出しコンベヤ１２が設置されおり、他端側には、ケーシング２の一側部に形成された排出窓部２ａが設けられている。ケーシング２の外部における排出窓部２ａの下方には、ノーリード集品ボックス１３が設置可能とされている。
【００１２】
そして、この仕分けコンベヤ１１は、投入コンベヤ５から受け渡された書籍Ｓを、一端側（図１中矢印ロ方向）あるいは他端側（図１中矢印ハ方向）のいずれか一方へ搬送する。一端側へ搬送された書籍Ｓは、送り出しコンベヤ１２へ受け渡され、他端側へ搬送された書籍Ｓは、排出窓部２ａからノーリード集品ボックス１３内へ排出される。
【００１３】
送り出しコンベヤ１２は、その他端が、ケーシング２の他側部に形成された送出窓部２ｂに導かれている。ケーシング２の外部における送出窓部２ｂの下方には、リード集品ボックス１４が設置可能とされている。
そして、この送り出しコンベヤ１２は、仕分けコンベヤ１１から受け渡された書籍Ｓを、一端側から他端側（図１中矢印ニ方向）へ向かって搬送し、送出窓部２ｂからリード集品ボックス１４内へ排出する。
【００１４】
また、この読取装置１は、ハンディスキャナ１５を備えており、このハンディスキャナ１５によって作業者による書籍Ｓのバーコードの読み取りが可能とされている。
さらに、この読取装置１には、そのケーシング２の上部に、表示部１６が設けられており、この表示部１６は、投入された書籍Ｓの数量、バーコードを読み取った書籍Ｓの数量、異常等が生じた際のメッセージなどを液晶表示する。
【００１５】
次に、上記読取装置１の構成及び機能について、図２に示すブロック図によってさらに詳述する。
図２に示すように、読取装置１は、コントローラ２１を備えている。このコントローラ２１には、投入コンベヤ５、仕分けコンベヤ１１及び送り出しコンベヤ１２を駆動させる駆動部２２が接続されており、駆動部２２がコントローラ２１によって制御され、投入コンベヤ５、仕分けコンベヤ１１及び送り出しコンベヤ１２の駆動が制御される。
【００１６】
また、このコントローラ２１には、表示部１６が接続され、コントローラ２１からの表示信号に基づいて、表示部１６にて各種の表示がされる。
さらに、このコントローラ２１には、マルチプレクサ２３が接続されている。このマルチプレクサ２３には、バーコードスキャナ６及びハンディスキャナ１５が接続されており、これらバーコードスキャナ６及びハンディスキャナ１５からのバーコードの読み取り信号が、マルチプレクサ２３を介してコントローラ２１へ送信される。
コントローラ２１は、外部端末であるデータ管理ＰＣ２４と接続可能とされており、このコントローラ２１とデータ管理ＰＣ２４との間にて、各種データのやりとりが可能とされている。
【００１７】
次に、上記の読取装置１を用いて書籍Ｓのバーコードの読み取り作業を行う場合について説明する。
まず、作業者は、バーコードが付された面を上にして投入領域３から書籍Ｓを投入し、投入コンベヤ５上へ配置させる。
【００１８】
このようにすると、この書籍Ｓは、投入コンベヤ５によって仕分けコンベヤ１１側（図１中矢印イ方向）へ向かって搬送される。
このとき、投入コンベヤ５の上方に設けられたバーコードスキャナ６によって書籍Ｓのバーコードが読み取られ、その読み取り信号がマルチプレクサ２３を介してコントローラ２１へ送信される。
【００１９】
その後、この書籍Ｓは、投入コンベヤ５から仕分けコンベヤ１１上に送られ、仕分けコンベヤ１１上に載置される。
ここで、コントローラ２１が、バーコードスキャナ６からの信号に基づいて、書籍Ｓのバーコードの読み取りが確実に行われたと判断すると、コントローラ２１によって仕分けコンベヤ１１が正転され、書籍Ｓが送り出しコンベヤ１２側（図１中矢印ロ方向）へ向かって搬送され、送り出しコンベヤ１２へ受け渡される。
【００２０】
そして、この送り出しコンベヤ１２に受け渡された書籍Ｓは、送り出しコンベヤ１２によって他端側（図１中矢印ニ方向）へ向かって搬送され、送出窓部２ｂからリード集品ボックス１４内へ投入される。
【００２１】
また、コントローラ２１が、バーコードスキャナ６からの信号に基づいて、書籍Ｓのバーコードの読み取りにエラーが生じて読み取りが行われなかったと判断すると、コントローラ２１によって仕分けコンベヤ１１が逆転され、投入コンベヤ５から仕分けコンベヤ１１上に送られて載置された書籍Ｓが、排出窓部２ａ側（図１中矢印ハ方向）へ向かって搬送され、送出窓部２ａからノーリード集品ボックス１３内へ排出される。
【００２２】
その後、作業者は、ノーリード集品ボックス１３内に排出された書籍Ｓを、改めて投入領域３から投入し、バーコードスキャナ６によるバーコードの読み取りを行わせる。
なお、作業者は、ノーリード集品ボックス１３内の書籍Ｓのバーコードを、ハンディスキャナ１５によって読み取らせ、リード集品ボックス１４へ入れても良い。
そして、全ての書籍Ｓのバーコードの読み取りが完了したら、作業者は、図示しない操作部にて相殺し、商品データをデータ管理ＰＣ２４へ送信させる。
【００２３】
以上、説明したように、上記第１実施形態に係る読取装置１によれば、バーコードが付された書籍Ｓを投入領域３から投入するだけで、極めて容易にバーコードを読み取らせることができ、作業者の作業負担を大幅に低減させることができる。
また、読み取りエラーが生じた場合は、その書籍Ｓをノーリード集品ボックス１３へ送り、改めて読み取らせるので、読み取りミスを確実になくし、情報集積による商品管理並びに検品を極めて正確に行うことができる。
【００２４】
なお、上記第１実施形態では、投入領域３に投入コンベヤ５を設けたが、この投入コンベヤ５に代えて、単に、投入領域３に投入した書籍Ｓを下方へ滑り落とすシュート板を設けても良い。
【００２５】
（第２実施形態）
次に、第２の実施形態に係る読取装置について説明する。
なお、上記第１実施形態と同一構造部分は、同一符号を付して説明を省略する。
図３は、第２実施形態に係る読取装置の構成を説明する概略側断面図、図４は、読取装置の構成を説明する概略平断面図である。
【００２６】
図３及び図４に示すように、この読取装置３１は、投入領域３に、ケーシング２の中央側へ向かって下方へ傾斜したシュート板３２を備えており、投入領域３から投入された書籍Ｓがシュート板３２上に配置され、その傾斜面に沿って滑り落とされるようになっている。このシュート板３２には、下方側の端部近傍に、書籍Ｓの滑り落ちを規制する自動切り出しストッパ３３が設けられており、この自動切り出しストッパ３３は、上下に移動することにより、シュート板３２の上面に対して出没して書籍Ｓを一つずつ滑り落とすようになっている。
【００２７】
このシュート板３２の下端側には、搬送コンベヤ３４が設けられ、この搬送コンベヤ３４は、シュート板３２から送り込まれた書籍Ｓを図３中矢印ホ方向へ搬送させる。この搬送コンベヤ３４の上方には、バーコードスキャナ６が設置されており、このバーコードスキャナ６によって搬送コンベヤ３４上を搬送される書籍Ｓに付されたバーコードが読み取られるようになっている。
【００２８】
搬送コンベヤ３４の搬送方向前方側の端部には、仕分けコンベヤ３５が設けられている。この仕分けコンベヤ３５は、ケーシング２に形成された排出窓部２ａにて、ケーシング２の幅方向へ向かう水平軸線を中心として回動可能に連結されている。そして、この仕分けコンベヤ３５は、通常では、その先端部が搬送コンベヤ３４よりも上方の待機位置（図３にて実線で示す位置）に配置されている。
【００２９】
そして、仕分けコンベヤ３５は、コントローラ２１からの制御信号に基づいて、連結箇所にて図３中矢印ヘ方向へ回動されることにより、その先端部が搬送コンベヤ３４と略同一高さとなる受け取り位置（図３にて破線で示す位置）に配置される。そして、この仕分けコンベヤ３５は、受け取り位置とされて先端部が搬送コンベヤ３４と同一高さとされた状態にて、搬送コンベヤ３４から書籍Ｓを受け取る。
また、送り出しコンベヤ１２は、搬送コンベヤ３４の搬送方向前方側へ延在され、仕分けコンベヤ３５の下方に達している。
【００３０】
次に、上記の読取装置３１を用いて書籍Ｓのバーコードの読み取り作業を行う場合について説明する。
まず、作業者は、バーコードが付された面を上にして投入領域３から書籍Ｓを投入し、シュート板３２上へ配置させる。
シュート板３２上へ配置された書籍Ｓは、上下に移動してシュート板３２の上面に対して出没する自動切り出しストッパ３３によってシュート板３２上を一つずつ滑り落とされ、搬送コンベヤ３４へ受け渡される。
【００３１】
その後、この書籍Ｓは、搬送コンベヤ３４によって図３中矢印ホ方向へ向かって搬送される。このとき、搬送コンベヤ３４の上方に設けられたバーコードスキャナ６によって書籍Ｓのバーコードが読み取られ、その読み取り信号がマルチプレクサ２３を介してコントローラ２１へ送信される。
さらに、書籍Ｓは、搬送コンベヤ３４から送り出しコンベヤ１２上へ落とされる。そして、この送り出しコンベヤ１２に落とされて受け渡された書籍Ｓは、送り出しコンベヤ１２によって送出窓部２ｂへ向かって搬送され、この送出窓部２ｂからリード集品ボックス１４内へ投入される。
【００３２】
また、コントローラ２１が、バーコードスキャナ６からの信号に基づいて、書籍Ｓのバーコードの読み取りにエラーが生じて読み取りが行われなかったと判断すると、コントローラ２１によって仕分けコンベヤ３５が図３中矢印ヘ方向へ回動され、待機位置から受け取り位置に配置され、その先端部が搬送コンベヤ３４と略同一高さ位置に配置される。
これにより、搬送コンベヤ３４にて搬送される書籍Ｓが仕分けコンベヤ３５に受け渡され、この書籍Ｓは、仕分けコンベヤ３５によって排出窓部２ａ側へ向かって搬送され、送出窓部２ａからノーリード集品ボックス１３内へ排出される。
【００３３】
その後、作業者は、ノーリード集品ボックス１３内に投入された書籍Ｓを、改めて投入領域３から投入し、バーコードスキャナ６によるバーコードの読み取りを行わせる。
なお、作業者は、ノーリード集品ボックス１３内の書籍Ｓのバーコードを、ハンディスキャナ１５によって読み取らせ、リード集品ボックス１３へ入れても良い。
そして、全ての書籍Ｓのバーコードの読み取りが完了したら、作業者は、図示しない操作部を操作して商品データをデータ管理ＰＣ２４へ送信させる。
【００３４】
このように、上記第２実施形態に係る読取装置３１によれば、第１実施形態に係る読取装置１と同様に、バーコードが付された書籍Ｓを投入領域３から投入するだけで、極めて容易にバーコードを読み取らせることができ、作業者の作業負担を大幅に低減させることができる。
また、読み取りエラーが生じた場合は、その書籍Ｓをノーリード集品ボックス１４へ送り、改めて読み取らせるので、読み取りミスを確実になくし、情報集積による商品管理並びに検品を極めて正確に行うことができる。
【００３５】
（第３実施形態）
次に、第３の実施形態に係る読取装置について説明する。
なお、上記第１、第２実施形態と同一構造部分は、同一符号を付して説明を省略する。
図５は、第３実施形態に係る読取装置の構成を説明する概略側断面図、図６は、読取装置の構成及び機能を説明するブロック図である。
【００３６】
図５に示すように、この読取装置４１は、一つの仕分けコンベヤ４２を備えており、この仕分けコンベヤ４２の一端側が投入領域４３とされている。
そして、この仕分けコンベヤ４２は、その一端側の投入領域４３に投入された書籍Ｓを他端側へ搬送する。
仕分けコンベヤ４２には、その中央部分における上方に、幅方向へわたってバーコードスキャナ６が配設されており、他端部における下方にはリード集品ボックス１４が配設されている。
【００３７】
また、仕分けコンベヤ４２には、バーコードスキャナ６を介して上流側及び下流側に、書籍Ｓの有無を検知するセンサＡ、Ｂがそれぞれ配設されている。さらに、バーコードスキャナ６の下流側には、センサＢに対して間隔をあけて書籍Ｓの有無を検知するセンサＣが配設されている。センサＡ、Ｂ、Ｃは、それぞれ発光部と受光部とからなる光学式のセンサであり、発光部からの光が遮られることにより、受光部からコントローラ２１へ検知信号が出力される。
【００３８】
そして、これらセンサＡ、Ｂ、Ｃは、図６に示すように、コントローラ２１に接続されており、これらセンサＡ、Ｂ、Ｃからの検知信号がコントローラ２１へ送信される。
また、この読取装置４１は、例えば、ブザーや警告灯などからなる警告部４４を備えており、この警告部４４は、コントローラ２１に接続されている。そして、この警告部４４は、コントローラ２１からの警告信号によって警告音を発したり、あるいは警告灯を点灯させることにより警告を発するようになっている。
【００３９】
次に、上記の読取装置４１を用いて書籍Ｓのバーコードの読み取り作業を行う場合について説明する。
まず、作業者は、バーコードが付された面を上にして投入領域４３から書籍Ｓを仕分けコンベヤ４２上へ配置させる。
このようにすると、この書籍Ｓは、仕分けコンベヤ４２によって他端側へ搬送される。
【００４０】
その後、搬送される書籍ＳによってセンサＡの発光部からの光が遮光されて書籍Ｓが検知される。
そして、このセンサＡにて書籍Ｓが検知されると、コントローラ２１によってバーコードスキャナ６による読み取りが開始される。これにより、バーコードスキャナ６の下方を搬送される書籍Ｓに付されたバーコードがバーコードスキャナ６によって読み取られ、その読み取り信号がマルチプレクサ２３を介してコントローラ２１へ送信される。
【００４１】
次いで、書籍ＳがセンサＡから外れ、センサＡの発光部からの光が受光部に入光されると、コントローラ２１によってバーコードスキャナ６による読み取りが停止される。
その後、書籍Ｓは、仕分けコンベヤ４２によって下流側へ搬送されてリード集品ボックス１４へ投入される。
このとき、書籍ＳによってセンサＢ及びセンサＣが順に遮光され、その後、センサＢ及びセンサＣが順に入光されると、コントローラ２１は、１カウントを計数する。
【００４２】
また、コントローラ２１が、バーコードスキャナ６からの信号に基づいて、書籍Ｓのバーコードの読み取りにエラーが生じて読み取りが行われなかったと判断すると、書籍ＳによってセンサＢ及びセンサＣが遮光された時点にて仕分けコンベヤ４２を停止させる。そして、コントローラ２１は、読み取りエラーが生じたことを作業者へ知らせるべく、警告部４４へ警告信号を出力し、警告部４４にて警告音を発したり、あるいは警告灯を点灯させる。
【００４３】
その後、作業者は、仕分けコンベヤ４２上の書籍Ｓのバーコードを、ハンディスキャナ１５によって読み取らせ、リード集品ボックス１４へ入れる。
なお、作業者は、仕分けコンベヤ４２上の書籍Ｓを、改めて仕分けコンベヤ４２の投入領域４３へ載置させ、バーコードスキャナ６によるバーコードの読み取りを行わせても良い。
そして、全ての書籍Ｓのバーコードの読み取りが完了したら、作業者は、図示しない操作部を操作して、商品データをデータ管理ＰＣ２４へ送信させる。
【００４４】
このように、上記第３実施形態に係る読取装置３１によれば、第１、第２実施形態に係る読取装置１、３１と同様に、バーコードが付された書籍Ｓを仕分けコンベヤ４２の投入領域４３へ載置するだけで、極めて容易にバーコードを読み取らせることができ、作業者の作業負担を大幅に低減させることができる。
また、読み取りエラーが生じた場合は、搬送コンベヤ４２を停止させて書籍Ｓのバーコードを、改めて読み取らせるので、読み取りミスを確実になくし、情報集積による商品管理並びに検品を極めて正確に行うことができる。
【００４５】
なお、上記実施形態では、搬送される書籍Ｓの上方にバーコードスキャナ６を設置したが、このバーコードスキャナ６を、書籍Ｓの搬送路の上下に設置しても良く、このようにすると、上方側あるいは下方側にてバーコードを読み取ることができ、投入時における書籍Ｓの表裏の向きの限定をなくし、さらなる作業の容易化を図ることができる。
なお、上記実施形態では、取り扱う物品として書籍を例にとって説明したが、この取り扱う物品としては書籍に限定されないのは勿論である。
【図面の簡単な説明】
【００４６】
【図１】第１実施形態に係る読取装置の構成を説明する概略側断面図である。
【図２】第１実施形態に係る読取装置の構成及び機能を説明するブロック図である。
【図３】第２実施形態に係る読取装置の構成を説明する概略側断面図である。
【図４】第２実施形態に係る読取装置の構成を説明する概略平断面図である。
【図５】第３実施形態に係る読取装置の構成を説明する概略側断面図である。
【図６】第３実施形態に係る読取装置の構成及び機能を説明するブロック図である。
【符号の説明】
【００４７】
１、３１、４１  読取装置
３、４３  投入領域
５  投入コンベヤ（搬送手段）
６  バーコードスキャナ
１１、３５  仕分けコンベヤ（仕分け手段）
１５  ハンディスキャナ
３４  搬送コンベヤ（搬送手段）
４２  仕分けコンベヤ（仕分け手段、搬送手段）
Ｓ  書籍（物品）
【図１】
2006151649.tif 000003
【図２】
2006151649.tif 000004
【図３】
2006151649.tif 000005
【図４】
2006151649.tif 000006
【図５】
2006151649.tif 000007
【図６】
2006151649.tif 000008